(57)【要約】【課題】構造が複雑な従来の液体押し出しポンプを利用せずに、粘度の高い内容物を容易に排出することができるとともに、製造や回収を容易に行うことができる流体用容器を提供することを目的とする。【解決手段】直筒状に構成され、その両端とも開口している本体部１と、前記本体部１の一端から更に延在しながら収束した収束部２と、その周縁が前記直筒状の本体部１の内壁と密接し、押されると前記本体部１の軸方向に沿って摺動し、押されないとそこにそのまま止まるように前記直筒状の本体部１の内部に取り付けられているプランジャー式の封止板３とからなる流体用容器を提供する。【選択図】図１
0003128343.tif 000002
【実用新案登録請求の範囲】
【請求項１】
直筒状に構成され、その両端とも開口している本体部と、前記本体部の一端から更に延在しながら収束した収束部と、その周縁が前記直筒状の本体部の内壁と密接し、押されると前記本体部の軸方向に沿って摺動し、押されないとそこにそのまま止まるように前記直筒状の本体部の内部に取り付けられているプランジャー式の封止板とからなる流体用容器。
【請求項２】
前記収束部は、その収束先端が折られると注出口を形成するように構成されていることを特徴とする請求項１に記載の流体用容器。
【請求項３】
前記封止板は、密栓付きの注入口を備えていることを特徴とする請求項２に記載の流体用容器。
【請求項４】
前記収束部は、前記本体部の軸方向に延在しながら収束し、
また、該収束部をその収束先端の方向から遮蔽することができる蓋を備え、
前記蓋も直筒状に構成され、前記本体部の他端開口から挿入されて前記封止板を押動することができるように構成されていることを特徴とする請求項１又は２に記載の流体用容器。
【請求項５】
前記本体部の前記一端には、前記収束部よりも外側に位置して前記収束部を囲み、挿入された蓋と互いに係合することができる環壁が形成されていることを特徴とする請求項４に記載の流体用容器。
【請求項６】
前記環壁は、前記本体部と共に、直筒状に構成されていることを特徴とする請求項５に記載の流体用容器。
【考案の詳細な説明】
【技術分野】
【０００１】
本考案は、流体用容器に関し、特に、洗剤、化粧品、マヨネーズ、ソースなどの流動体を収納し、需要に応じて供給する流体用容器に関する。
【背景技術】
【０００２】
流体用容器には、従来より、液体押し出しポンプ付きのものがある。しかし、このような容器で、例えば、豚カツ用ソース、マヨネーズなどの食品類や、シャンプー、リンス各種の洗剤など、特に粘度の高い内容物を充填した場合、容器から液体押し出しポンプによって内容物を排出することが非常に困難なことがある。
【０００３】
また、前記押し出しポンプは、真空構造が必要であるので、部品点数が多くて、構造も複雑である。このため、前記のような部品の製造には、精密度が要求され、非常に高いコストが必要とされる。
【０００４】
さらに、前記のような構造が複雑な部品には、いろいろな材料が使われるので、それらを一括して回収することも困難であり、環境保護の点からも問題がある。
【考案の開示】
【考案が解決しようとする課題】
【０００５】
したがって、本考案は、構造が複雑な従来の液体押し出しポンプを利用せずに、粘度の高い内容物を容易に排出することができるとともに、製造や回収を容易に行うことができる流体用容器を提供することを目的とする。
【課題を解決するための手段】
【０００６】
上記目的を達成するために、本考案は、直筒状に構成され、その両端とも開口している本体部と、前記本体部の一端から更に延在しながら収束した収束部と、その周縁が前記直筒状の本体部の内壁と密接し、押されると前記本体部の軸方向に沿って摺動し、押されないとそこにそのまま止まるように前記直筒状の本体部の内部に取り付けられているプランジャー式の封止板とからなる流体用容器を提供する。
【考案の効果】
【０００７】
前記構成による流体用容器は、プランジャー式の封止板によって粘度の高い内容物を容器から排出することができる。また、本考案によれば、簡単な構造及び単純な材料で形成されるので、製造コストが廉価で、かつ、その回収も容易である。
【考案を実施するための最良の形態】
【０００８】
以下、本考案に関する流体用容器の好適な実施形態を、図１〜図３を参照しながら説明する。なお、図中、類似する部分には、同一の参照符号を付する。
【０００９】
図１に示すのは、この実施形態の流体用容器の分解斜視図である。図２は、前記流体用容器の組立て状態の縦断面図である。図３は、前記流体用容器の使用時の縦断面説明図である。
【００１０】
まず、図１及び図２に示すように、本考案の流体用容器は、蓋４が付設されているが、それ自体は、本体部１と、収束部２と、底板としてのプランジャー式の封止板３とからなる。本体部１は、円筒状に構成され、その両端に開口１１Ａ、１１Ｂを有する。収束部２は、本体部１の一端から更に延在しながら収束している。封止板３は、プランジャーのようなものであって、円筒状の本体部１の内部に取り付けられている。これにより、封止板３は、その周縁３３が円筒状の本体部１の内壁１３と密接し、押されると円筒の本体部１の軸方向Ｘに沿って摺動し、押されないとそこにそのまま止まる。
【００１１】
封止板３の周縁３３が円筒の内壁１３と密接し、押されると円筒の本体部１の軸方向Ｘに沿って摺動し、押されないと、封止板３の周縁３３と内壁１３との面間摩擦抵抗によりそこにそのまま止まることができるように、封止板３として、少なくともその周縁部に柔軟性が若干あるもの、例えばポリプロピレン（ＰＰ）やポリエチレンテレフタレート（ＰＥＴ）などで構成されたものを使用した方が良い。
【００１２】
そして、図２を参照すると、収束部２は、前記本体部１の軸方向Ｘに延在しながら収束したものであり、また、蓋４は、収束部２をその収束先端２１の方向から遮蔽することができるものである。この蓋４も、円筒状に構成され、本体部１の他端開口１１Ｂから挿入されて封止板３を押動することができるように構成されている（図３参照）。なお、蓋４の長さは本体部１より長いことが好ましい。
【００１３】
なお、図２に示すように、本体部１の前記一端には、環壁１４が形成されている。環壁１４は、収束部２より外側に位置して前記収束部２を囲んでいる。環壁１４は、該収束部２を回る上、挿入された蓋４と互いに係合する。また、図１に示すように、この環壁１４は、本体部１と共に、直筒状に構成されている。
【００１４】
蓋４が取り付けられていない場合は、手や棒などを用いて、開口１１Ｂから挿入して封止板３を押動することもできる。
【００１５】
なお、収束部２は、図３に示すように、その収束先端２１を折ると注出口２２を形成するように構成されている。このため、本考案の流体用容器が未使用である場合には、まず、収束部２の収束先端２１を折ってから使用することになる。なお、内容物５を注出するには、蓋４を環壁１４の中から取り外し、この蓋４を本体部１の他端開口から挿入して、封止板３を押動すれば良い。
【００１６】
さらに、封止板３は、密栓３２付きの注入口３１が形成してある。この注入口３１は、洗剤や化粧品、マヨネーズ、ソースなどの内容物５を充填するのに使用される。内容物５の充填は、密栓３２を取り除いてから空気を抽出しながら行い、その後再び密栓３２で注入口３１を塞ぐ。
【００１７】
本考案は、その精神及び必須の特徴事項から逸脱することのない範囲であれば、他の方法を用いて実施することができる。従って、本明細書に記載した好ましい実施形態は例示的なものであって、本考案を限定するものではない。
【産業上の利用可能性】
【００１８】
上述のように、本考案による流体用容器は、プランジャー式の封止板３によって粘度の高い内容物５を容器から排出することができる。また、本考案によれば、簡単な構造及び単純な材料で形成されるので、実用性が高いばかりでなく、製造作業も非常に簡単であり、製造コストが廉価で、かつ、その回収も容易である。
【図面の簡単な説明】
【００１９】
【図１】本考案の実施形態の流体用容器の分解斜視図である。
【図２】図１の流体用容器の組立て状態の縦断面図である。
【図３】図１の流体用容器の使用時の縦断面説明図である。
【符号の説明】
【００２０】
１  本体部
１１Ａ、１１Ｂ  開口
１３  内壁
１４  環壁
２  収束部
２２  注出口
２１  収束先端
３  封止板
３１  注入口
３２  密栓
３３  周縁
４  蓋
５  内容物
【図１】
0003128343.tif 000003
【図２】
0003128343.tif 000004
【図３】
0003128343.tif 000005